(57)【特許請求の範囲】
【請求項１】
燃焼炎から発生する熱により処理される処理対象物が配設される炉室を備え、
前記炉室内に燃焼用酸素含有ガスを供給する酸素含有ガス供給部と、前記酸素含有ガス供給部内に燃焼用燃料を供給する燃料供給部とを備えたバーナ部を、前記炉室に対して少なくとも一対備え、一方のバーナ部から、燃焼用燃料と酸素含有ガスとを共に前記炉室内に供給して炉室内に燃焼炎を形成し、他方のバーナ部に属する酸素含有ガス供給部が排ガス排出部とされる基本燃焼状態を、前記一対のバーナ部間において交互に切替えて、前記炉室を高温状態とするスルーポート方式の炉であって、
前記燃料供給部は、旋回状態で前記燃焼用燃料を前記酸素含有ガス供給部内に放出可能であり、燃焼状態における前記燃焼用燃料の噴出中心軸が前記酸素含有ガス供給部の中心位置に位置するとともに、前記燃料供給部の内部で前記燃焼用燃料を収束させた後に放出する旋回用ノズルチップを備え、
前記基本燃焼状態において前記他方のバーナ部に属する燃料供給部から、還元ガスを前記酸素含有ガス供給部内に供給する還元ガス供給手段を備えた炉。
【請求項２】
前記基本燃焼状態において、前記排ガス排出部となる前記他方のバーナ部に属する酸素含有ガス供給部に、酸素含有ガス供給部を流れる未燃成分を酸化する酸素含有ガスを供給する完全燃焼用酸素含有ガス供給部を、前記他方のバーナ部に属する燃料供給部に対して、その排ガス流れ方向下手側に備えた請求項１記載の炉。
【請求項３】
請求項１または２記載の炉を用いて行う交番燃焼運転方法であって、
前記炉室内若しくは前記バーナ部内に残存酸素が残留している状態において、前記還元ガス供給手段を用いて、前記炉室内あるいは、前記炉室と前記バーナ部との接続部位に部分的な還元雰囲気部を形成し、前記還元雰囲気部において窒素酸化物の還元処理をおこなう炉の交番燃焼運転方法。
【発明の詳細な説明】
【０００１】
【発明の属する技術分野】
本発明は、ガラス溶融炉等の、処理対象物（例えばガラス原料）が燃焼炎により処理される炉室を備え、運転にあたって、所謂、交番燃焼方式を取る炉等に関するとともに、このような炉の運転方法に関するものであり、炉から発生する窒素酸化物量を抑え、高効率化を図る技術に関する。
【０００２】
【従来の技術】
以下、本願が対象とする炉の一例として、ガラス溶融炉を例に取って説明する。一般に、蓄熱式のガラス溶融炉はバーナの位置によって、エンドポート式（図７）、サイドポート式（図２、５）に分かれる。
図示するように、エンドポート式のガラス溶融炉にあっては、炉の長手方向に燃焼炎を形成するためのバーナ部Ｂが一対、対として炉の長手方向端部に設けられ、炉の側壁部に設けられた原料投入口Ｉから原料が投入され、炉内長手方向に溶融物が移流された後、挿通孔１２を介して、溶融物が作業槽１１に落下される。
一方、サイドポート式のガラス溶融炉にあっては、炉の長手方向の側壁部に、各々対となった４対のバーナ部Ｂが備えられ、炉の一方の長手方向端に設けられる原料投入口Ｉから原料が投入され、炉長手方向に溶融物が移流された後、他方の炉長手方向端に設けられた挿通孔１２を介して、溶融物が作業槽１１に落下される。
【０００３】
一方、このような原料投入と溶融物の排出の方向による区別の他に、炉内に対するガスの供給手法により、区別するものがある。即ち、所謂、アンダーポート方式と呼ばれるものと、スルーポート方式と呼ばれるものがある。
この識別は、燃焼用ガス及び燃焼用空気の炉室への供給位置に関する分類である。
アンダーポート方式のものにあっては、図１，２に示すように、炉室内に燃焼用燃料を供給する燃料供給部５と炉室内に燃焼用酸素含有ガスを供給する酸素含有ガス供給部６とが、別々に、設けられる。この構造の場合は、燃料供給部５と酸素含有ガス供給部６とが、共に、炉室Ｆに直接開口しており、燃料と、燃焼用空気が直接炉内に供給される。
スルーポート方式のものにあっては、図４，５に示すように、炉室Ｆ内に燃焼用酸素含有ガスを供給する酸素含有ガス供給部６が備えられ、この酸素含有ガス供給部６内に燃料を供給する燃料供給部５が備えられた構成とされる。即ち、燃料は、燃焼用空気が流れる燃焼用空気導入路内に供給され、この路内での混合を経た後、炉室内に供給される。
【０００４】
次に、所謂交番燃焼に関して説明する。対となっているバーナ部Ｂ間にあっては、これが対となって交番燃焼状態に維持される。即ち、これら対を成しているバーナ部Ｂ間にあっては、一方のバーナ部Ｂから、燃料と酸素含有ガスとを共に炉室Ｆ側に供給して炉室内に燃焼炎を形成するとともに、他方のバーナ部Ｂにあっては、この部位が非燃焼状態とされ、炉室内から発生する排ガスが、このバーナ部（他方のバーナ部）Ｂに備えられる酸素含有ガス供給部６を、逆流する（炉内から炉外へ流れる）ように運転し、排ガス排出部とする。これが、一方のバーナ部Ｂが燃焼側で、他方のバーナ部Ｂが排ガス側とされる基本燃焼状態であるが、このような基本燃焼状態を、一対のバーナ部Ｂ間において交互に切替えて（同一、一方のバーナ部Ｂが、経時的に燃焼状態と非燃焼状態（排ガス状態）に交互に維持され、他方のバーナ部Ｂが、対応して、非燃焼状態と燃焼状態に交互に維持される）、運転される。
この交番燃焼状態は、１対のバーナ部Ｂ（例えば図１に於ける左右１対のバーナ部Ｂ）間で１０〜３０分毎に、燃焼状態と非燃焼状態とを交互に繰り返す。
このような交番燃焼運転によって、炉室内を適切に高温状態に保って、所望の処理をおこなうことができる。
【０００５】
【発明が解決しようとする課題】
さて、このような燃焼を伴った炉の運転にあっては、炉から発生する窒素酸化物の量をできるだけ低くすることが好ましい。
従来、先に説明してきたガラス溶融炉では、低ＮＯｘ化は、燃焼排ガスの煙道部に脱硫装置（アンモニア水、尿素水を散布する等を行い、ＮＯ2をＮ2にする装置）が必要であった。この方法では、装置スペース、設備コスト、薬品（アンモニア等）のランニングコスト等の点で問題が多く、安価で容易に低ＮＯｘ化する手法がなかった。
【０００６】
また、先に説明したアンダーポート方式では、実質上、冷却空気を炉内に直接入れるため、炉の溶解効率を低下させるばかりではなく、炉内残存の酸素を増やすこととなるため、特に窒素酸化物を増加させる原因ともなっていた。
【０００７】
従って、本発明の目的は、交番燃焼炉の運転にあたって、発生する窒素酸化物の量ができるだけ少なく、炉における加熱効率をできるだけ高くできる炉を得ることにある。
【００１０】
この目的を達成するべく、請求項１に係る炉は、燃焼炎から発生する熱により処理される処理対象物が配設される炉室を備え、前記炉室内に燃焼用酸素含有ガスを供給する酸素含有ガス供給部と、前記酸素含有ガス供給部内に燃焼用燃料を供給する燃料供給部とを備えたバーナ部を、前記炉室に対して少なくとも一対備え、一方のバーナ部から、燃焼用燃料と酸素含有ガスとを共に前記炉室内に供給して炉室内に燃焼炎を形成し、他方のバーナ部に属する酸素含有ガス供給部が排ガス排出部とされる基本燃焼状態を、前記一対のバーナ部間において交互に切替えて、前記炉室を高温状態とするスルーポート方式の炉であって、
その特徴構成として、前記燃料供給部は、旋回状態で前記燃焼用燃料を前記酸素含有ガス供給部内に放出可能であり、燃焼状態における前記燃焼用燃料の噴出中心軸が前記酸素含有ガス供給部の中心位置に位置するとともに、前記燃料供給部の内部で前記燃焼用燃料を収束させた後に放出する旋回用ノズルチップを備え、前記基本燃焼状態において前記他方のバーナ部に属する燃料供給部から、還元ガスを前記酸素含有ガス供給部内に供給する還元ガス供給手段を備える。
この構造の場合、基本燃焼状態において排ガス排出部側となるバーナ部に属する燃料供給部から還元ガスを供給する。この状態にあっては、この燃料供給部は排ガス側となっているため、炉室で発生した排ガスがこのバーナ部に属する酸素含有ガス供給部を、炉室側から炉外側へ流れる。この部位に、還元ガスを供給することにより、この窒素酸化物を無害な窒素に還元することができる。
さらに、この構造にあっては、燃焼状態にあって燃料を供給する燃料供給部を利用して、還元ガスとして、例えば燃料をも供給できるため、従来設備の構造を踏襲しながら、排ガス側（非燃焼側）の燃料供給部から還元ガスを供給するだけで、発生する窒素酸化物の量を低減することができる。
さらに、この場合は、たとえ、炉室全体として見た場合に、酸素が残存している場合にあっても、ガス供給部近傍に還元ガス濃度が高い還元領域を部分的に形成して、この部位で、窒素酸化物の還元処理をおこなうことができる。
結果、発生する窒素酸化物の少ない炉を得ることができた。
【００１１】
このようなスルーポート方式の炉にあっては、請求項２に記載されるように、前記基本燃焼状態において、前記排ガス排出部となる前記他方のバーナ部に、燃焼用ガス供給部を流れる未燃成分を酸化する酸素含有ガスを供給する完全燃焼用酸素含有ガス供給部を、前記燃料供給部の排ガス流れ方向下手側に備えることが好ましい。
この場合も、排ガス側にあって、還元に寄与することなく残存する還元ガス成分を完全燃焼させて、未燃の還元ガス成分が炉外へ放出されるのを防止することができる。
【００１２】
さて、以上が、本願の炉の特徴構成であるが、本願は、例えば、炉室内に酸素が残存している状態にあっても部分的な還元雰囲気部分を所定部位に形成することで、窒素酸化物の量を低減できることができることを、発明者らが見出してこれを完成したものである。即ち、酸素が完全にない場合のみならず、部分的な還元雰囲気部を形成する場合にあっても、上記の効果を得ることができる。
即ち、本願に於ける処理対象物が配設される炉室を備え、
この炉室に対して、燃焼用ガスと酸素含有ガスとを共に供給するバーナ部を、少なくとも一対備えたスルーポート方式の炉を運転するに、
一方のバーナ部から、燃焼用ガスと酸素含有ガスとを共に前記炉室側に供給して、炉室に燃焼炎を形成し、他方のバーナ部が排ガス排出部とされる基本燃焼状態を、前記一対のバーナ部間において交互に切替えて、前記炉室を高温状態とする炉の運転方法の特徴手段は、請求項３に記載されているように、
請求項１または２記載の炉を用いて行う交番燃焼運転方法であって、前記炉室内若しくは前記バーナ部内に残存酸素が残留している状態において、前記還元ガス供給手段を用いて、前記炉室内あるいは、前記炉室と前記バーナ部との接続部位に部分的な還元雰囲気部を形成し、前記還元雰囲気部において窒素酸化物の還元処理をおこなうことにある。
このようにすることが、これまで説明してきた原理から、窒素酸化物量を低減できる。
発明者らの実験によれば、還元ガスを供給しない場合と、還元する場合とで、２０〜８０％程度のＮＯｘ低減効果を得ることができる。又、発生するＮＯｘ量を低下させることで効率的な運転が可能となる。
【００１３】
【発明の実施の形態】
以下に本発明の実施例を図面に基づいて説明する。
本発明の炉１の一例として図１および図２にガラス溶解炉１ａを示す。図１は、ガラス原料２の搬送方向と同方向から見た場合の側面図であり、図２は図１におけるＩ−Ｉ平断面図である。図示すように、この炉は、サイドポート方式且つアンダーポート方式のものである。
【００１４】
図示するように、該ガラス溶解炉１ａはガラス原料２の搬送方向に対して左右対称の構成を有する。図１に示すごとく、中央に溶解槽（炉室の一例）３を備えると共に、当該溶解槽３の両側部を形成する炉壁４の上部には、夫々、燃焼用ガス（燃料の一例）Ｇを供給するガス供給部（燃料供給部の一例）５と、燃焼用空気（酸素含有ガスの一例）Ａを供給する空気供給部（酸素含有ガス供給部の一例）６とを、別個に備えている。さらに、空気供給部の排ガス流れ方向で下流側の部位、即ちその外側には蓄熱室７を備えている。
ここで、本願においては、燃料供給部と酸素含有ガス供給部とは組とされるため、これらを組として呼ぶ場合は、バーナ部と称する。
【００１５】
図１は、ガラス溶解炉１ａの内部に対し、左側の前記空気供給部６から燃焼用空気Ａを供給すると共に、前記空気供給部６の下方に設けた前記ガス供給部５から燃焼用ガスＧを供給する場合を示している。
前記燃焼用空気Ａは、左側の蓄熱室７で加熱された後に前記空気供給部６を介してガラス溶解炉１ａの内部に供給される。
前記燃焼用ガスＧと前記燃焼用空気Ａとは、ガラス溶解炉１ａの内部であって前記ガス供給部５および前記空気供給部６の近傍で、両ガスが衝突・混合され、混合燃焼させる。この燃焼用ガスＧは、ガラス溶解炉１ａの内部において主炎８を形成し、当該燃焼の輻射熱によってガラス原料２を溶解する。図２に示すごとく、当該ガラス溶解炉１ａにおいては、ガラス原料２の搬送方向に対して直角方向に前記主炎８が形成される。前記ガラス溶解炉１ａの天井部はアーチ状を呈しており、前記主炎８からの輻射熱を反射させる機能を有する。
【００１６】
燃焼により発生した燃焼排ガスｇは、主炎８が形成されていない側の空気供給部６および前記蓄熱室７を介して排出される。即ち、空気供給部６および蓄熱室７は、排ガス排出部９としても機能する。燃焼側と排気側とは、所定時間毎に双方の役割を交代し、いわゆる交番燃焼が行われる。（この交番燃焼は後述する制御装置２０により制御され、図１、４の燃焼用空気のブロアーからの供給路及び排ガスの排出路に、実線及び破線で、交番状態を示した。）
前記蓄熱室７には、例えば煉瓦１０等の蓄熱材を設けてあり、排ガス排出部９として機能している間に前記燃焼排ガスｇの保有熱を蓄熱する。当該蓄熱は、後に空気供給部６として機能する際に、燃焼用空気Ａを加熱するための熱源として利用する。
尚、図２において、ガラス原料２は溶解槽３の内部を投入口から作業槽１１に向かって流下する。溶解槽３と作業槽１１との間には挿通孔１２を有する隔壁１３を設けてあり、溶融および清澄を完了したガラスのみを作業槽に導くように構成してある。
【００１７】
図３には、ガス供給部５の断面を示す。
当該ガス供給部５は、主燃焼用バーナ５ａと補助燃焼用バーナ５ｂとからなる。前記主燃焼用バーナ５ａからは、主燃焼用ガスＧ１（燃料のみ）のみが供給され、前記補助燃焼用バーナ５ｂからは、補助燃焼用ガスＧ２と燃焼用空気Ａとが供給される。前記補助燃焼用バーナ５ｂは、前記主燃焼用バーナ５ａから供給される主燃焼用ガスＧ１を加熱するためのものである。前記主燃焼用ガスＧ１と前記補助燃焼用ガスＧ２とは、通常、同一種類のガスを用いるが、別種類のガスであっても差し支えない。
当該主燃焼用バーナ５ａと補助燃焼用バーナ５ｂとは、例えば同軸芯状の円筒状に形成し、前記主燃焼用バーナ５ａを前記補助燃焼用バーナ５ｂの外側に形成する。前記補助燃焼用バーナ５ｂには、補助燃焼用ガスＧ２と、当該補助燃焼用ガスＧ２を燃焼させるための燃焼用空気Ａとを供給して補助炎１４を形成する。当該補助炎１４を確実に形成するためには、図３に示すごとく補助燃焼用バーナ５ｂの先端部に着火源１５を設けるとよい。この着火源１５は、例えば電熱線に通電して発熱させるもの等を補助燃焼用バーナ５ｂの内部に挿通させた状態に取り付けて構成する。ただし、前記補助炎１４が容易に着火できるのであれば、当該着火源１５は必ずしも必要ではない。
前記補助炎１４の周囲に対しては、前記主燃焼用バーナ５ａから主燃焼用ガスＧ１を供給する。この結果、前記主燃焼用ガスＧ１は、前記補助炎１４によって加熱される。尚、補助燃焼用バーナ５ｂに供給される燃焼用空気Ａは補助炎１４を形成するために殆どが消費される。
【００１８】
前記主燃焼用ガスＧ１が、例えばメタン（ＣＨ4）を主成分とする場合、前記主燃焼用ガスＧ１は、前記補助炎１４で加熱されることによって熱分解し、炭素（Ｃ）を生じさせる。当該炭素（Ｃ）は、主燃焼用ガスＧ１の火炎輝度を向上させることとなる。また、主燃焼用ガスＧ１を加熱することによって主燃焼用ガスＧ１の燃焼速度を向上させることもできる。よって、従来であれば、燃焼用空気Ａと混合して初めて燃焼を開始し、輻射熱を発生させていた主燃焼用ガスＧ１が早期に燃焼用空気Ａと反応することとなり、ガラス溶解炉１ａの内部において前記主燃焼用バーナ５ａの近傍から主炎８を形成することとなる。即ち、主燃焼用ガスＧ１の燃焼によって前記主燃焼用バーナ５ａの近傍から高温域が形成されるため、炉内の温度を平均化させることができるうえに、極端に高温となる領域が発生するのを抑制してＮＯｘの発生を低減させることが可能となる。
【００１９】
本実施形態においては、図３に示すごとく、前記主燃焼用ガスＧ１を効率的に加熱すべく前記補助燃焼用バーナ５ｂの先端部に筒状部材１６を備えている。当該筒状部材１６は、補助燃焼用バーナ５ｂの先端に形成される補助炎１４を保護する機能を有する。つまり、前記補助炎１４を主燃焼用ガスＧ１の流れと隔離することで、前記主燃焼用ガスＧ１の流れによって前記補助炎１４が乱されることがなく、補助炎１４が消失するという不都合を回避できる。また、筒状部材１６が無い場合に、補助燃焼用バーナ５ｂに供給された燃焼用空気Ａが前記主燃焼用バーナ５ａの内部で拡散し、補助炎１４が消失するという事態も防止できる。
尚、前記筒状部材１６は、上記機能が維持できるものであれば、完全な筒状部材１６で構成してもよいし、金網状の部材で構成してもよい。当該筒状部材１６は、耐熱性の金属などを用いて形成することができる。
【００２０】
図３に示すごとく、前記補助燃焼用バーナ５ｂの先端部は、前記主燃焼用バーナ５ａの先端部よりも炉外側に引退させてある。この構成であれば、主燃焼用ガスＧ１の拡散を防止した状態で主燃焼用ガスＧ１を加熱することができるから、主燃焼用ガスＧ１を確実に加熱することができる。
また、噴射される主燃焼用ガスＧ１をより収束させることができて、主炎８に直進性を持たせることができる。
尚、前記補助燃焼用バーナ５ｂに供給する補助燃焼用ガスＧ２の量は、当該補助燃焼用バーナ５ｂはあくまでも主燃焼用ガスＧ１を加熱することが目的であるから、前記主燃焼用バーナ５ａに対する主燃焼用ガスＧ１の供給量よりも少なく設定しておいても充分である。例えば、前記補助燃焼用バーナ５ｂで燃焼させる補助燃焼用ガスＧ２の総量は、前記主燃焼用バーナ５ａおよび前記補助燃焼用バーナ５ｂに供給する燃焼用ガスＧの全量の１〜３０％程度とする。この場合の補助燃焼用バーナ５ｂから供給する燃焼用空気の量は、補助燃焼用ガス量に対する理論空気量の０．３〜１．２とする。さらに、主燃焼用ガスに対しては、空気供給部から充分な燃焼用空気が供給される。
【００２１】
以上のごとく、補助燃焼用バーナ５ｂによって主燃焼用ガスＧ１を加熱するように構成すれば、炉内を略均等に加熱することができるばかりでなく、ＮＯｘの発生を抑制し得ることができる。
【００２２】
さて、以上が燃焼側の構造であるが、非燃焼側に関しても基本構造（空気供給部６とガス供給部５の構造）は同一である。
しかしながら、本願にあっては、非燃焼側（排気側・図１実線の状態に於ける右側）にあるガス供給部５から、燃焼用ガス（これは還元ガスの一例であり、実質上は燃料である）を、供給するための、還元ガス供給手段が設けられている。即ち、上記のガス供給部５に対して、この部位からのガスの供給及び着火の要否を制御する制御装置２０が備えられているのであるが、この制御装置２０は、制御対象のガス供給部５が燃焼状態（ガス供給状態）にあるかどうかをモニターできる構成を取る。これは交番燃焼を実現する上で当然である。
そして、この制御装置２０においては、さらに、特定のガス供給部５が非燃焼状態にある場合に、前記ガス供給部５より、燃焼用ガスのみ（燃焼用空気を含まないもので、先に説明した主燃焼用ガスＧ１が主体）を還元ガスとして、未着火のまま供給するように制御する構成とされている。
結果、この制御装置２０による制御により、非燃焼側の状態にあるガス供給部５から還元ガスとしての燃焼用ガスが供給され、窒素酸化物の還元が行われる。即ち、この制御装置２０とガス供給部５とにより、本願の還元ガス供給手段が構成される。当然、この制御装置２０は、交番燃焼において対となる各々のガス供給部に対して、交互に、その制御をおこなう。
【００２３】
さて、本願にあっては、さらに、空気供給部６の上流側部位（炉外を上流側、炉室側を下流側とする燃焼状態において）に、この部位からの炉内への燃焼用空気の供給が行われない非燃焼状態において、この部位を流れる排ガス流に空気（酸素含有ガスの一例）を供給する完全燃焼用空気供給部２１（完全燃焼用酸素含有ガス供給部の一例）を備えている。即ち、上記のように、非燃焼側の空気供給部６にあっては、この部位を炉内から炉外への方向に排ガスが流れるととおもに、先の制御装置２０による制御によって、ガス供給部５から供給される主燃焼用ガスＧ１の未燃成分が流れることとなるが、この未燃成分の完全燃焼処理に必要な酸素含有ガスが、完全燃焼用空気供給部２１から供給されることにより、未燃成分が炉外へ放出されるのを防止することができる。ここで、前記ガス供給部５から前記完全燃焼用空気供給部２１までの流路方向における離間距離は、１．５ｍから２．０ｍ程度である。通常排ガスの平均流速は５〜１０ｍ／ｓ程度であるため、この程度の距離で、窒素酸化物の還元を完了できる。この距離より短いと反応時間が充分に確保できない傾向を示す。あまり長いと炉が大きくなり過ぎる。
【００２４】
〔別実施形態〕
〈１〉  上記実施形態においては、炉が所謂、アンダーポート方式に形成されている場合を示したが、スルーポート方式の場合も、適応できる。
図４は、スルーポート方式に於ける炉１００の概略構成を示す図面であり、溶解槽３を挟んで、一対の空気供給部６が備えられている。この空気供給部６の上流部位には蓄熱室７が備えられており、この蓄熱室７を介して、炉内に供給される燃焼用空気を予熱できる構造が採用されている。
さらに、この空気供給部６の中間部位には、燃焼用ガスを供給するためのガス供給部５が備えられており、この供給部５から供給される燃焼用ガス（燃料）が、予熱をされた空気と空気供給部６内の流路で攪拌・混合されて、炉室に向けて供給されて、空気供給部６の出口部６０及び炉室内で燃焼する。
ガス供給部（燃料供給部の一例）５は、図６に示すような構造が採用されている。即ち、水冷管５１の内部に燃焼用ガス供給機構５２を有する構造で、ガス供給ヘッド５３の所定部位に旋回用ノズルチップ５４を備えた構造とされている。この旋回用ノズルチップ５４を介して、旋回状態で燃焼用ガス（燃料）を空気供給部６内に放出できるように構成されている。図示するように、この例においても、主燃焼用ガスＧ１と補助燃焼用ガスＧ２とが別々に供給される。図６において、燃焼用ガスの噴出方向（同図左側）は、炉内部に向けられており、このガス供給部５は、燃焼状態にあっては、その燃焼用ガスの噴出中心軸が、空気供給部６（燃焼用空気供給路）の中心位置に位置されている。
【００２５】
さて、この構造にあっても、交番燃焼状態が取られる。即ち、一方の空気供給部６から燃焼用空気を供給する状態にあって、この空気供給部６内にあるガス供給部５から、燃焼用ガスが供給される。即ち、炉外から炉内へのガスの供給が行われる。一方、対とされている他方の空気供給部６においては、炉内から炉外へのガスの排出がおこなわる状態とされる。
この状態にあっても、他方の空気供給部６内に備えられるガス供給部５から、燃焼用ガスのみが送り出される。さらに、このガス供給部５の下流側（炉外側）に完全燃焼用酸素含有ガス供給部２１が備えられ、未燃の還元ガス（主に主燃焼用ガスＧ１）の供給処理が行えるような構成とされている。従って、先に示したアンダーポート方式の場合と同様に、制御装置２０が備えられ、非燃焼状態（排ガス側）となっている場合に、前記ガス供給部５から還元ガスとしての燃焼用ガスの供給及び、完全燃焼用の酸素含有ガスの供給を順次おこなうことが可能な構成とされている。即ち、制御装置２０とガス供給部５により、還元ガス供給手段が構成されている。また、このスルーポート方式の構造にあっては、燃焼状態にある場合と、非燃焼状態にある場合とにおいて、燃焼用ガスの噴出中心軸の空気供給部６（燃焼用空気供給路）の中心位置に対する相対位置関係が異ならせられる。即ち、通常の燃焼状態にあっては、前者は後者の位置に概略一致され、燃焼用ガスの燃焼用空気との良好な混合状態が実現される。一方、排ガスが空気供給部を流れる非燃焼状態にあっては、還元ガスとして働く燃焼用ガスの噴出中心軸は、燃焼用空気供給路の壁面近傍とされ、還元ガスの割合が高い還元雰囲気部が容易に形成される状態とされる。このようにすることで、窒素酸化物の還元を良好に達成できる。
【００２６】
〈２〉  これまで説明してきた例にあっては、還元ガスとして燃焼用ガスである燃料をそのまま供給するものとしたが、還元ガスとして、燃焼用ガスを必ずしも供給する必要はなく、燃焼用ガスと還元ガスとが別種のガスであってもよい。この場合、燃焼用ガスの供給源と還元ガスの供給源をと別々に持つこととなる。
還元ガスとしては、炭化水素系のガス、オイル等の液体燃料起因の霧化ガス、さらには、これらの混合物を使用することも可能である。
しかしながら、本願のように、燃焼用ガスと還元ガスを共通とするとともに、この供給部をも共用することにより、設備系を格段に簡略化できる。
〈３〉  燃焼用ガスの燃焼用に、空気をそのまま使用する例を示したが、これは、酸素が含有されていればよく、例えば、酸素濃度の高い酸素付加ガスを使用してもよい。このようなガスを酸素含有ガスと呼ぶ。
〈４〉  一方、燃焼用ガスあるいは燃料としては、炭化水素系ガスを主体とする都市ガス、オイル等の液体燃料、さらには、これらの混合物を使用することが可能である。本願にあって、燃料に特異の制限はない。
【図面の簡単な説明】
【図１】アンダーポート方式の炉の断面図
【図２】図１におけるＩ−Ｉ平断面図
【図３】図１に於けるガス供給部の縦断面図
【図４】スルーポート方式の炉に断面図
【図５】図４に於けるＩＩ−ＩＩ平断面図
【図６】図４に於けるガス供給部の縦断面図
【図７】エンドポート方式の炉構造の平面図
【符号の説明】
１    加熱炉
５    ガス供給部
５ａ  主燃焼用バーナ
５ｂ  補助燃焼用バーナ
６    空気供給部
２０  制御装置
Ａ    燃焼用空気
Ｇ１  主燃焼用ガス
Ｇ２  補助燃焼用ガス
【図１】
0003926046.tif 000002
【図２】
0003926046.tif 000003
【図３】
0003926046.tif 000004
【図４】
0003926046.tif 000005
【図５】
0003926046.tif 000006
【図６】
0003926046.tif 000007
【図７】
0003926046.tif 000008